【事件の表示】
　特願２００２−３７９０８５「貯留タンク満杯検出装置の取付構造」拒絶査定不服審判事件〔平成１６年　７月２９日出願公開、特開２００４−２０８７６３〕について、次のとおり審決する。
【結　論】
　本件審判の請求は、成り立たない。
【理　由】
 　
第１、手続きの経緯
　本願は、平成１４年１２月２７日の出願であって、平成２０年１２月８日付けで拒絶理由が通知され、これに対し、平成２１年１月２３日付けで手続補正がなされ、その後同年３月２７日付けで拒絶査定がなされたところ、同年４月１７日に拒絶査定不服の審判請求がなされるとともに、同日付け手続補正によって明細書の一部が補正されたものである。
　なお、当審において、平成２２年１月２７日付けで審査官による前置報告書の内容を添付して審尋を行い、同年３月２５日に回答書が提出されている。
　　　　
第２、平成２１年４月１７日付けの手続補正についての補正却下の決定
［補正却下の決定の結論］
　平成２１年４月１７日付けの手続補正（以下、「本件補正」という。）を却下する。
［理由］
　１、補正前・後の本願発明
　本件補正は、補正前（平成２１年１月２３日付け手続補正により補正された特許請求の範囲）の請求項１乃至３のうち、請求項１に記載された、
　「　パチンコ機に設けられた貯留タンクの遊技球貯留量が所定量に達したか否かを検出する検出部を前面側に備えた検出装置本体と、
　前記検出装置本体の右側部に設けられ前記貯留タンクの周壁部に係合可能な係合部と、
　を有する貯留タンク満杯検出装置を、右側排出構造の貯留タンクに取り付ける貯留タンク満杯検出装置の取付構造であって、
　前記係合部は、弾性変形により拡縮可能なフック状とされ、
　前記周壁部の前壁には、前記パチンコ機側に切り欠かれて形成された薄肉部からなり前記係合部を係合可能な被係合部が設けられていることを特徴とする貯留タンク満杯検出装置の取付構造。」を、
　
　「　パチンコ機に設けられた貯留タンクの遊技球貯留量が所定量に達したか否かを検出する検出部を前面側に備えた検出装置本体と、
　前記検出装置本体の右側部に設けられ前記貯留タンクの周壁部に係合可能な係合部と、
　を有する貯留タンク満杯検出装置を、右側排出構造の貯留タンクに取り付ける貯留タンク満杯検出装置の取付構造であって、
　前記係合部は、
前記検出装置本体の両側部に各々設けられ、前記貯留タンクの周壁部の上端部に接触して弾性変形により拡開するメインフックと、該メインフックに形成され該メインフックが拡開した後で前記貯留タンクの周壁部の上端部に接触して弾性変形により拡開するサブフックと、を備え
　前記周壁部の前壁には、前記パチンコ機側に切り欠かれて形成された薄肉部からなり前記係合部を係合可能な被係合部が設けられていることを特徴とする貯留タンク満杯検出装置の取付構造。」（以下、「本願補正発明１」という。なお、「下線」は変更箇所に対して当審で付したものである。）と補正するものである。
　
　本件補正は、「係合部」について記載された、「弾性変形により拡縮可能なフック状とされ、」を「（前記）検出装置本体の両側部に各々設けられ、（前記）貯留タンクの周壁部の上端部に接触して弾性変形により拡開するメインフックと、該メインフックに形成され該メインフックが拡開した後で前記貯留タンクの周壁部の上端部に接触して弾性変形により拡開するサブフックと、を備え、」と限定するものであるから、
　本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　そこで、本件補正後の上記本願補正発明１が特許出願の際独立して特許を受けることができるものであるのか（上記改正前の特許法第１７条の２第５項において準用する同法第１２６条第４項の規定に適合するか）について以下に検討する。
　
　２、特許法第３６条第６項第２号に規定する要件の検討
　本願補正発明１の「係合部」について検討すると、特許請求の範囲の第３行目には「前記検出装置本体の右側部に設けられ前記貯留タンクの周壁部に係合可能な係合部」と記載されているのに対し、同第６行目には「前記係合部は、前記検出装置本体の両側部に各々設けられ、」と記載されており、「係合部」が「検出装置本体」の右側部に設けられているのか両側部に各々設けられているのか不明瞭である。 
　そうすると、本願補正発明１の記載は、特許を受けようとする発明が明確でないから、特許法第３６条第６項第２号の規定に反するものである。 
　したがって、本願補正発明１は、特許出願の際独立して特許を受けることができないものである。　
　
　３、特許法第２９条第２項の検討
　（１）刊行物に記載された発明
　刊行物１：特開平５−２７７２４５号公報　
　刊行物２：登録実用新案第３０５０２５３号公報
　刊行物３：特開平１１−１９７３２４号公報
　　　（以下、各々を「引用刊行物１」乃至「引用刊行物３」という。）
　　
　刊行物ア：実願昭４８−１００４６３号（実開昭５０−４５５６６号）の
　　　　　　マイクロフィルム 
　刊行物イ： 実公昭４４−２４１１８号公報
　刊行物ウ：実願平２−３８３３４号（実開平３−１２９４８２号）の
　　　　　　マイクロフィルム　
　刊行物エ：実願昭５４−１４７９５１号（実開昭５６−６６４７０号）の
　　　　　　マイクロフィルム 
　　　　　　　
　原査定の拒絶理由通知に引用され、本願出願前に頒布された、引用刊行物１には以下の事項が記載されている。　
　（１ａ）「【００２８】次に、図２はパチンコ機２の裏機構の構成を示す図である。図２において、パチンコ機２の裏機構の主要なものとして、貯留タンク（上タンク）６１、玉排出部６２、排出残数表示器６３、排出樋６４、玉抜きソレノイド６５、セーフ玉停止ユニット６６、オーバフロースイッチ６７、入賞玉集合樋６８、セーフ玉回収樋６９、アウト玉回収樋７０およびスピーカ７１がある。
【００２９】貯留タンク（貯留手段）６１は排出される前の玉を予め貯留しておくもので、この貯留タンク６１の玉数の不足は後述の補給センサ８１によって検出され、不足のときは島設備から玉が補給される。貯留タンク６１内の玉は玉排出部６２によって整列させられるとともに、誘導されて排出樋６４に排出される。」、　
　（１ｂ）「【００３２】排出樋６４は貯留タンク６１から排出された玉を導くもので、その上端部が貯留タンク６１の底部に接続され、図中右下がりの状態で傾斜しつつ途中で大きく曲折してほぼ垂直に立設され、下端部が玉貯留皿３２等に接続されている。・・・」、
　（１ｃ）「【００４１】次に、貯留タンク６１および玉排出部６２について図３〜図８を参照して詳細に説明する。図３は貯留タンク６１の斜視図であり、この図に示すように、貯留タンク６１は細長い有底の箱型に形成され、一定量のパチンコ玉を貯留可能で、樹脂を素材としている。貯留タンク６１は、その底部が図中右方向に進むに従って下方に傾斜しつつ、やや絞り込むような形状に形成され、パチンコ玉を自重によってスムーズに右方向に移動させる構造になっている。
【００４２】貯留タンク６１の左側には２ヵ所の切込み６１ａ、６１ｂが形成され、これらの切込み６１ａ、６１ｂに係合して補給センサ８１が取付け可能になっている。補給センサ８１は貯留タンク６１内の玉が不足したことを検出するもので、その不足状態の設定値は切込み６１ａ、６１ｂに対して補給センサ８１を取り付ける位置によって調整することができる。
【００４３】また、補給センサ８１を取り付ける際に切込み６１ａ、６１ｂに係合させなければ、不足状態の設定値が最大となる。一方、補給センサ８１を切込み６１ａ、６１ｂの一番深い部分に係合させると、不足状態の設定値が最小となる。このように、補給センサ８１の取付け位置は遊技店によって自由に調整可能である。上記不足状態の設定値は、例えば島設備の容量や各パチンコ機２の出玉率等によって設定するとよい。
【００４４】補給センサ８１は図４に側面図を示すように、切込み６１ａ、６１ｂに係合する係合部８１ａと、パチンコ玉によって押圧される押圧板８１ｂと、押圧板８１ｂを図中右方向に付勢するスプリング８１ｃと、押圧板８１ｂがパチンコ玉によって押圧されたときオン状態となる補給スイッチ８１ｄとを有している。
【００４５】したがって、補給センサ８１は貯留タンク６１内に一定量以上の玉が貯留されていると、玉の重みでスプリング８１ｃの付勢力に抗して押圧板８１ｂが補給スイッチ８１ｄを押すことにより、オフ状態となる。一方、貯留タンク６１内の玉が不足すると、スプリング８１ｃの付勢力により押圧板８１ｂが補給スイッチ８１ｄを押してオン状態とする。このようにして補給スイッチ８１ｄにより玉の不足状態が検出される。玉が不足すると、補給スイッチ８１ｄの検出信号に基づいて島設備から玉が貯留タンク６１に補給される。」。　
　　
　したがって、引用刊行物１には、
「　裏機構の主要なものとして、貯留タンク６１、排出樋６４、などがある、パチンコ機２において、
　前記貯留タンク６１は排出される前の玉を予め貯留しておくもので、その底部が右方向に進むに従って下方に傾斜しつつ、やや絞り込むような形状に形成され、パチンコ玉を自重によってスムーズに右方向に移動させる構造になっており、
　前記排出樋６４は前記貯留タンク６１から排出された玉を導くもので、その上端部が前記貯留タンク６１の底部に接続され、右下がりの状態で傾斜しつつ途中で大きく曲折してほぼ垂直に立設され、
　前記貯留タンク６１の左側には２ヵ所の切込み６１ａ、６１ｂが形成され、これらの切込み６１ａ、６１ｂに係合して、貯留タンク６１内の玉が不足したことを検出する補給センサ８１が取付け可能になっており、
　前記補給センサ８１は、切込み６１ａ、６１ｂに係合する係合部８１ａと、パチンコ玉によって押圧される押圧板８１ｂと、押圧板８１ｂを右方向に付勢するスプリング８１ｃと、押圧板８１ｂがパチンコ玉によって押圧されたときオン状態となる補給スイッチ８１ｄとを有し、
　前記補給センサ８１は前記貯留タンク６１内に一定量以上の玉が貯留されていると、玉の重みでスプリング８１ｃの付勢力に抗して押圧板８１ｂが補給スイッチ８１ｄを押すことにより、オフ状態となる一方、貯留タンク６１内の玉が不足すると、スプリング８１ｃの付勢力により押圧板８１ｂが補給スイッチ８１ｄを押してオン状態とするもので、
　前記補給センサ８１を取り付ける際に前記切込み６１ａ、６１ｂに係合させなければ、不足状態の設定値が最大となる一方、補給センサ８１を切込み６１ａ、６１ｂの一番深い部分に係合させると、不足状態の設定値が最小となる、
　パチンコ機２。」の発明（以下、「引用発明１」という。）が記載されていると認められる。
　
　原査定の拒絶理由通知に引用され、本願出願前に頒布された、引用刊行物２には以下の事項が記載されている。　
　（２ａ）「【０００１】
    【考案の属する技術分野】
  この考案は、パチンコ遊技機の賞品用貯留球の球検出器に係り、更に詳しくは、パチンコ遊技機裏側の球貯留部内に貯留された賞品用のパチンコ球（賞球ともいう）の貯留状況を検出する球検出器に関するものである。」、　
　（２ｂ）「【００１０】
  本実施例のパチンコ機について、図１,図２および図３を参照しながら要約説明すると、・・・この前枠２の前後各部に遊技機共通用の構成部材であるガラス窓３と上下の球皿４,５および発射装置６等が装備され、また前枠２裏側に位置する遊技盤８セット用の保持枠７の裏側に、球処理部等を備えた裏セット盤９が着脱可能に装備されている。・・・
      【００１１】
  そして前記裏セット盤９では、図１および図４に示すように、前述した球貯留供給部１２の構成として、本体１０の上部に外向き開口状態で凹設された副貯留部１０Ａの開口面側に合わせて、主貯留部である球タンク１３が設置されて１つの貯留部とされている。・・・」、
　（２ｃ）「【００１８】
  このような本実施例の球検出器は、前記裏セット盤９の本体１０に形成した設置凹部２１に上方から嵌込むことで、支持体２２の背面が前記球タンク１３の球出口１３ａに対する案内垂直面として臨み、また球感知部材２３の球受け部２４が副貯留部１０Ａの段差凹部１０ａに臨んだ状態でセットされる。・・・」。
　
　（２ｄ）そして、図面、特に球貯留供給部を含むパチンコ機の上部位の縦断側面図である【図３】、及び裏セット盤の本体に取着する球タンクと、該裏セット盤に形成した設置凹部に嵌合セットされる球検出器とを分解状態で示す概略斜視図である【図６】には「球タンク１３の前方に位置する裏セット盤９の本体１０に設けられ、球タンク１３側に切り欠かれて形成された薄肉部分に設けられた設置凹部２１」の事項が示されている。　
　　
　したがって、引用刊行物２には、
　「前枠２裏側に位置する遊技盤８セット用の保持枠７の裏側に、球処理部等を備えた裏セット盤９が着脱可能に装備され、裏セット盤９の本体１０の上部に外向き開口状態で凹設された副貯留部１０Ａの開口面側に合わせて、主貯留部である球タンク１３が設置されて１つの貯留部とされているパチンコ遊技機において、
　球タンク１３の前方に位置する裏セット盤９の本体１０には、球タンク１３側に切り欠かれて形成された薄肉部分に設置凹部２１が設けられ、
　球検出器は、前記設置凹部２１に上方から嵌込むことで、支持体２２の背面が前記球タンク１３の球出口１３ａに対する案内垂直面として臨んだ状態でセットされる、パチンコ遊技機。」の発明（以下、「引用発明２」という。）が記載されていると認められる。
　　　
　原査定の拒絶理由通知に引用され、本願出願前に頒布された、引用刊行物３には以下の事項が記載されている。　
　（３ａ）「【００１０】前記賞球タンク４にはパチンコ球の有無を検出する球量検出センサー９が設けられている。この球量検出センサー９は、図２及び図３に示すように球検出コイル、発振回路等が内臓された合成樹脂製ケース１０と、該ケース１０を前後位置調節自在に支持する支持体１１とからなる周知構造のもので、支持体１１にねじ１２，１２で止着された金属製フック１３を賞球タンク４の側壁に係合させることにより該賞球タンク４に着脱自在に取り付けられる。・・・」。　
　
　したがって、引用刊行物３には、
　「パチンコ球の有無を検出する球量検出センサー９は、球検出コイル、発振回路等が内臓された合成樹脂製ケース１０と、該ケース１０を前後位置調節自在に支持する支持体１１とからなり、当該支持体１１にねじ１２，１２で止着された金属製フック１３を賞球タンク４の側壁に係合させることにより該賞球タンク４に着脱自在に取り付けられる、球量検出センサー９。」の発明（以下、「引用発明３」という。）が記載されていると認められる。
　
　本願出願前に頒布された、刊行物アにおいて、　
　（アａ）明細書第１頁第５行乃至第８行には「板状金具の下端部に複数個の爪を上方を向けて切起しによって設け、この板状金具を取付ける取付部に板状金具が嵌入し、上記爪がその壁面に圧接する取付壁を設けた部品取付装置。」と、　
　（アｂ）同第２頁第７行乃至第１２行には「・・・取付部１０には上記板状金具８の下端が嵌入し、その壁面に金具８の下端が嵌入し、その壁面に金具８の爪９が圧接する取付壁１１を設ける。第２図に示すように爪９は取付壁に圧接するので板状金具８は強固に取付部１０に取付けられる。」と、それぞれ記載されている。
　　　　
　本願出願前に頒布された、刊行物イにおいて、　
　（イａ）公報第１頁第１欄第３１行乃至第２欄第６行には「　６はＬ型端子金具で一翼片の中央附近に切り起し爪片７、更にその下端に幅狭いく字状脚片８を夫々設ける。而して前記Ｌ型端子金具６を鍔部２の上方からその挿入孔５に挿入する。その時く字状脚片８は縦孔３内を摺動し、そして鍔部２の下部に達し、又爪片７は横孔４の壁にくい込む。従つてＬ型金具６は爪片７によつて挿入孔５内に固着される。」と、記載されている。　
　（イｂ）また、第１図及び第２図には「上下に２つの爪片７」が示されている。　
　　
　本願出願前に頒布された、刊行物ウにおいて、　
　（ウａ）明細書第５頁第３行乃至第１９行には「また、第５図乃至第７図は、本考案に係るクリップの他の実施例を示している。
　このクリップ１１は、帯状をしたバネ鋼等の弾性板を折曲げて形成したもので、折曲げ部１２を境にして画成された舌片１３，１４は、互いに対面している。このうち舌片１３は、その先端１３ａが上方に折曲げられ、その折曲部１３ｂが舌片１４の内表面に当接している。また、この舌片１３は、その中央部が舌片１４方向に向けて切起されており、その切起された突片１５の先端１５ａも舌片１４の内表面に当接している。
・・・
　このようにして装着されたクリップ１１は、舌片１３の折曲部１３ｂおよび突片１５の先端１５ａと舌片１４の内表面との間で狭持される。」と、記載されている。　
　　　
　本願出願前に頒布された、刊行物エにおいて、
　（エａ）明細書第２頁第１７行乃至第３頁第１２行には「イ）板状ばね材を第１図のごとく略コ字形に曲げ、曲げ部１４，１５から先端に行くほど間隔をせばめてゆき、先端は開口状態とするため主返り部３，４ができるように先端近くをコ字形の外側に折り曲げる、この折り曲げた点は左右の主ばね部１，２の間隔が最もせまくなつた所となり主狭持部１２となる。
ロ）第１図主ばね部１，２の中に、主ばね部１，２から開口部が主ばね部の先端と反対になるよう３辺をコ字形の内側に打ち抜き副ばね部５，６を設ける。そして、主ばね部１，２の構成と同じように先端に行くほど間隔をせばめるようにし、先端は開口状態となるよう先端近くを外側に曲げ、副返り部７，８を設ける。この折り曲げ点は、副ばね部５，６の間隔が最もせまくなつた所であり副狭持部１３となる。」と、　
　（エｂ）同第４頁第３行乃至第８行には「　以上のように構成した本案クリツプの使用方法は、・・・主狭持部１２だけでなく副狭持部１３でも紙片を押圧するため、２点で挟むことになり、」と、それぞれ記載されている。
　　　　
　（２）本願補正発明１と引用発明１との比較・検討
　本願補正発明１は、上記「　２，特許法第３６条第６項第２号に規定する要件の検討」に記載したとおり特許を受けようとする発明が明確でない。
　そこで、「係合部」の記載について明細書を参酌すると、
　【００５５】には「・・・組立状態の満杯検出装置２００では、検出装置本体２０２の右側部（本体ケース２１０の右側面２１０Ｒ側）にフック２４２が配置される。」と、
　【００６２】には「この貯留タンク１５２に満杯検出装置２００を取り付けるには、検出装置本体２０２の右側部に設けられたフック２４２を用いて行う。」と、
　【００６７】には「・・・貯留タンク満杯検出装置の取付構造では、検出装置本体２０２の右側部に設けられたフック２４２を、右側排出構造の貯留タンク１５２の前壁１６４に設けた薄肉部１６６に係合させることにより、検出装置本体２０２を貯留タンク１５２の上流側に配置するとともに・・・」と、
　【符号の説明】には「２４２　フック（係合部／フック状）」と、それぞれ記載されているのに対し、
　「係合部」が「検出装置本体」の両側部に各々設けられているとの記載は見当たらない。
　したがって、明細書の記載に基づき、本願補正発明１の「前記係合部は、前記検出装置本体の両側部に各々設けられ、」との事項を、「前記係合部は、前記検出装置本体の右側部に設けられ、」との事項と解して、本願補正発明１と引用発明１とを対比することとする。
　
　（２、１）引用発明１の「パチンコ機２」は本願補正発明１の「パチンコ機」に相当し、以下同様に、「貯留タンク６１」は「貯留タンク」に、「パチンコ玉」は「遊技球」に、「押圧板８１ｂ」は「検出部」に、「係合部８１ａ」は「係合部」に、「切込み６１ａ、６１ｂ」は「被係合部」に、それぞれ相当する。
　（２、２）引用発明１は、「補給センサ８１は（前記）貯留タンク６１内に一定量以上の玉が貯留されていると、玉の重みでスプリング８１ｃの付勢力に抗して押圧板８１ｂが補給スイッチ８１ｄを押すことにより、オフ状態となる一方、貯留タンク６１内の玉が不足すると、スプリング８１ｃの付勢力により押圧板８１ｂが補給スイッチ８１ｄを押してオン状態とするもの」であり、また「貯留タンク６１の
左側
右方向
前面側
　（２、３）引用発明１は、「貯留タンク６１の底部が右方向に進むに従って下方に傾斜しつつ、やや絞り込むような形状に形成され、パチンコ玉を自重によってスムーズに右方向に移動させる構造になっており」、「排出樋６４は前記貯留タンク６１から排出された玉を導くもので、右下がりの状態で傾斜しつつ途中で大きく曲折してほぼ垂直に立設され」るものであり、また「貯留タンク６１には２ヵ所の切込み６１ａ、６１ｂが形成され、これらの切込み６１ａ、６１ｂに係合して、貯留タンク６１内の玉が不足したことを検出する補給センサ８１が取付け可能になっており」、「（前記）補給センサ８１を取り付ける際に（前記）切込み６１ａ、６１ｂに係合させなければ、不足状態の設定値が最大となる」ものであるから、当該パチンコ機における技術常識を併せて考慮すれば、引用発明１は本願補正発明１の「貯留タンク満杯検出装置を、右側排出構造の貯留タンクに取り付ける貯留タンク満杯検出装置の取付構造」に相当する事項を有しているといえる。
　（２、４）引用発明１は、「貯留タンク６１の左側には２ヵ所の切込み６１ａ、６１ｂが形成され、これらの切込み６１ａ、６１ｂに係合して、貯留タンク６１内の玉が不足したことを検出する補給センサ８１が取付け可能になっており、前記補給センサ８１は、切込み６１ａ、６１ｂに係合する係合部８１ａを有し」ているから、当該パチンコ機における技術常識を併せて考慮すれば、引用発明１は本願補正発明１の「（前記）係合部は、（前記）検出装置本体の右側部に設けられ、（前記）貯留タンクの周壁部の上端部に接触して弾性変形により拡開するメインフックと、該メインフックに形成され該メインフックが拡開した後で前記貯留タンクの周壁部の上端部に接触して弾性変形により拡開するサブフックと、を備え、」との技術事項と比較して、「（前記）係合部は、（前記）検出装置本体に設けられ、」において一致しているといえる。
　（２、５）引用発明１は、「貯留タンク６１の左側には２ヵ所の切込み６１ａ、６１ｂが形成され、これらの切込み６１ａ、６１ｂに係合して、貯留タンク６１内の玉が不足したことを検出する補給センサ８１が取付け可能になっており、前記補給センサ８１は、切込み６１ａ、６１ｂに係合する係合部８１ａを有し」、「前記補給センサ８１を取り付ける際に前記切込み６１ａ、６１ｂに係合させなければ、不足状態の設定値が最大となる」ものであるから、当該パチンコ機における技術常識を併せて考慮すれば、引用発明１は本願補正発明１の「（前記）周壁部の前壁には、（前記）パチンコ機側に切り欠かれて形成された薄肉部からなり（前記）係合部を係合可能な被係合部が設けられていることを特徴とする貯留タンク満杯検出装置の取付構造」との技術事項と比較して、「（前記）周壁部には、（前記）係合部を係合可能な被係合部が設けられていることを特徴とする貯留タンク満杯検出装置の取付構造」において一致しているといえる。
　
　そうすると、両者の一致点及び相違点は次のとおりである。
　一致点
　パチンコ機に設けられた貯留タンクの遊技球貯留量が所定量に達したか否かを検出する検出部を前面側に備えた検出装置本体と、
　前記検出装置本体に設けられ前記貯留タンクの周壁部に係合可能な係合部と、
　を有する貯留タンク満杯検出装置を、右側排出構造の貯留タンクに取り付ける貯留タンク満杯検出装置の取付構造であって、
　前記係合部は、前記検出装置本体に設けられ、
　前記周壁部には、前記係合部を係合可能な被係合部が設けられている、貯留タンク満杯検出装置の取付構造。
　
　相違点（Ａ）
　係合部は、本願補正発明１では検出装置本体の右側部に設けられ、貯留タンクの周壁部の上端部に接触して弾性変形により拡開するメインフックと、該メインフックに形成され該メインフックが拡開した後で前記貯留タンクの周壁部の上端部に接触して弾性変形により拡開するサブフックと、を備えるのに対して、引用発明１では切込みに係合する係合部である点
　相違点（Ｂ）
　被係合部が、本願補正発明１では、（貯留タンクの）周壁部の前壁に、パチンコ機側に切り欠かれて形成された薄肉部からなるものであるのに対して、引用発明１では貯留タンクの周壁部（貯留タンク６１の左側）に設けられた切込みである点
　　　　　　
　始めに、上記相違点（Ｂ）について検討する。
　引用発明２には、「球タンク１３の前方に位置する裏セット盤９の本体１０には、球タンク１３側に切り欠かれて形成された薄肉部分に設けられる設置凹部２１が設けられ」、「前記設置凹部２１に上方から嵌込むことで、セットされる、球検出器」が記載され、即ち「球タンク１３の前方に、切り欠かれて形成された薄肉部分からなる、球検出器をセットする設置凹部２１」の技術事項が記載されている。また、引用発明２には、「裏セット盤９の本体１０の上部に外向き開口状態で凹設された副貯留部１０Ａの開口面側に合わせて、主貯留部である球タンク１３が設置されて１つの貯留部とされている」事項が記載され、即ち「裏セット盤９の本体１０と球タンク１３とで１つの貯留部」を構成する技術事項が記載されている。そこで、これらの技術事項をまとめると、貯留部が壁部を備えることは技術常識であるから、引用発明２には「球タンク１３前方の壁部に設けられる、切り欠かれて形成された薄肉部分からなる、球検出器をセットする設置凹部２１」の技術事項（以下、「引用発明２記載の被係合部構造」という。）が記載されているといえる。一方、被係合部の構造をどのようなものとするかは、当該被係合部に係合する係合部の形状や被係合部周辺の構造などを考慮して当業者が適宜選択できる設計上の事項と認められるから、引用発明１の「貯留タンクの左側に設けられた被係合部（切込み）」に替えて、上記「引用発明２記載の被係合部構造」を適用する際に、被係合部の構造を適宜選択し、上記相違点（Ｂ）に係る本願補正発明１を特定する事項とすることは、当業者が容易になし得るものである。
　
　次に、上記相違点（Ａ）について検討する。
　（Ａ−１）係合部の位置について
　引用発明１の「被係合部（切込み６１ａ、６１ｂ）」は「貯留タンクの左側に形成され」ているから、引用発明１には「貯留タンクの左側に取り付けられた検出装置本体」の事項が示唆されているといえる。そして、当該事項に、上記「引用発明２記載の被係合部構造」である「貯留タンク（球タンク１３）前方の壁部に設けられる、被係合部（設置凹部２１）」の事項を適用すれば「検出装置本体の右側部に設けられる係合部」の事項が導き出されることは明らかである。
　（Ａ−２）係合部の形状について
　引用発明３の「金属製フック１３」が「貯留タンクの周壁部の上端部に接触して弾性変形により拡開するフック」であることは、引用刊行物３の【図２】乃至【図４】を参酌すれば当業者にとって明らかな事項である。また取付構造における係合部が、被係合部の上端部に接触して弾性変形により変形する第一のフックと、該第一のフックが変形した後で被係合部の上端部に接触して弾性変形により変形する第二のフックとを備える技術は、例えば刊行物アに示された「取付部１０に嵌入する、複数個の爪９を上方を向けて切起しによって設けた板状金具８」、及び刊行物イに示された「挿入孔５に挿入される、上下に２つの爪片７が設けられたＬ型端子金具６」のように周知・慣用の技術（以下、「周知・慣用の技術１」という。）である。さらに、係合部が、弾性変形により拡開する第一のフックと、該第一のフックに形成され該第一のフックが拡開した後で弾性変形により拡開する第二のフックとを備える技術は、例えば刊行物ウに示された「舌片１３の折曲部１３ｂ及び舌片１３の中央部に切起された突片１５の先端１５ａと舌片１４の内表面との間で狭持されるクリップ１１」、及び刊行物エに示された「主ばね部１，２と、主ばね部１，２の中に打ち抜かれた副ばね部５，６とを設け、主狭持部１２と副狭持部１３との２点で挟む、クリツプ」のように周知・慣用の技術（以下、「周知・慣用の技術２」という。）である。そして、係合部の構造をどのようなものとするかは、取付作業時の操作性や取付後の安定性、当該係合部が係合する被係合部の構造などを考慮して当業者が適宜選択できる設計上の事項と認められるから、引用発明３の「金属製フック１３」に上記「周知・慣用の技術１」及び「周知・慣用の技術２」を適用することは、当業者が容易になし得るものである。
　したがって、上記相違点（Ａ）に係る本願補正発明１を特定する事項とすることは、引用発明１乃至３、及び「周知・慣用の技術１」並びに「周知・慣用の技術２」に基づいて当業者が容易になし得るものである。
　　　　　　
　そして、効果においても、引用発明１は右側排出構造の貯留タンクに検出装置が取り付けられたものであるから、本願補正発明１が格別の効果を奏するものとは認められない。
　
　したがって、本願補正発明１は、引用発明１乃至３、及び「周知・慣用の技術１」並びに「周知・慣用の技術２」に基づいて、当業者が容易に発明をすることができたものであるから、特許法第２９条第２項の規定により特許出願の際独立して特許を受けることができないものである。
　
　４、補正却下の決定のむすび　
　以上のとおり、本願補正発明１は、上記「２、」及び「３、」のいずれの規定によっても、特許出願の際独立して特許を受けることができないものであるから、本件補正は、平成１８年改正前特許法第１７条の２第５項において準用する同法第１２６条第５項の規定に違反するものであり、特許法第１５９条第１項において読み替えて準用する特許法第５３条第１項の規定により却下されるべきものである。　
　　
第３、本願発明について
　平成２１年４月１７日付けの手続き補正は上記のとおり却下すべきものとなったので、本願の請求項１乃至３に係る発明は、上記平成２１年１月２３日付けで補正された明細書の記載からみて、その特許請求の範囲の請求項１乃至３に記載されたとおりのものと認められるところ、その請求項１に記載された発明を再掲すると次のとおりのものである。
　「　パチンコ機に設けられた貯留タンクの遊技球貯留量が所定量に達したか否かを検出する検出部を前面側に備えた検出装置本体と、
　前記検出装置本体の右側部に設けられ前記貯留タンクの周壁部に係合可能な係合部と、
　を有する貯留タンク満杯検出装置を、右側排出構造の貯留タンクに取り付ける貯留タンク満杯検出装置の取付構造であって、
　前記係合部は、弾性変形により拡縮可能なフック状とされ、
　前記周壁部の前壁には、前記パチンコ機側に切り欠かれて形成された薄肉部からなり前記係合部を係合可能な被係合部が設けられていることを特徴とする貯留タンク満杯検出装置の取付構造。」（以下、「本願発明１」という。）
　
　１、刊行物に記載された発明
　原査定の拒絶理由通知に引用された引用刊行物１乃至３に記載された事項は前記「第２、［理由］３，（１）刊行物に記載された発明」に記載された事項と同様であるから、援用する。
　
　２、本願発明１と引用発明１との比較・検討
　（１）引用発明１の「パチンコ機２」は本願発明１の「パチンコ機」に相当し、以下同様に、「貯留タンク６１」は「貯留タンク」に、「パチンコ玉」は「遊技球」に、「押圧板８１ｂ」は「検出部」に、「係合部８１ａ」は「係合部」に、「切込み６１ａ、６１ｂ」は「被係合部」に、それぞれ相当する。
　（２）上記「第２、［理由］３、（２）本願補正発明１と引用発明１との比較・検討」における「（２、２）」で検討したのと同様の理由により、引用発明１は本願発明１の「パチンコ機に設けられた貯留タンクの遊技球貯留量が所定量に達したか否かを検出する検出部を前面側に備えた検出装置本体と、前記検出装置本体の右側部に設けられ前記貯留タンクの周壁部に係合可能な係合部と、を有する貯留タンク満杯検出装置」との技術事項と比較して、「パチンコ機に設けられた貯留タンクの遊技球貯留量が所定量に達したか否かを検出する検出部を前面側に備えた検出装置本体と、前記検出装置本体に設けられ前記貯留タンクの周壁部に係合可能な係合部と、を有する貯留タンク満杯検出装置」において一致しているといえる。
　（３）上記「第２、［理由］３、（２）本願補正発明１と引用発明１との比較・検討」における「（２、３）」で検討したのと同様の理由により、引用発明１は本願発明１の「貯留タンク満杯検出装置を、右側排出構造の貯留タンクに取り付ける貯留タンク満杯検出装置の取付構造」に相当する事項を有しているといえる。
　（４）引用発明１は、「貯留タンク６１の左側には２ヵ所の切込み６１ａ、６１ｂが形成され、これらの切込み６１ａ、６１ｂに係合して、貯留タンク６１内の玉が不足したことを検出する補給センサ８１が取付け可能になっており、前記補給センサ８１は、切込み６１ａ、６１ｂに係合する係合部８１ａを有し」ているから、当該パチンコ機における技術常識を併せて考慮すれば、引用発明１は本願発明１の「（前記）係合部は、弾性変形により拡縮可能なフック状とされ、」との技術事項と比較して、「（前記）係合部は、フック状とされ、」において一致しているといえる。
　（５）上記「第２、［理由］３、（２）本願補正発明１と引用発明１との比較・検討」における「（２、５）」で検討したのと同様の理由により、引用発明１は本願発明１の「（前記）周壁部の前壁には、（前記）パチンコ機側に切り欠かれて形成された薄肉部からなり（前記）係合部を係合可能な被係合部が設けられていることを特徴とする貯留タンク満杯検出装置の取付構造」との技術事項と比較して、「（前記）周壁部には、（前記）係合部を係合可能な被係合部が設けられていることを特徴とする貯留タンク満杯検出装置の取付構造」において一致しているといえる。
　
　そうすると、両者の一致点及び相違点は次のとおりである。
　一致点
　パチンコ機に設けられた貯留タンクの遊技球貯留量が所定量に達したか否かを検出する検出部を前面側に備えた検出装置本体と、
　前記検出装置本体に設けられ前記貯留タンクの周壁部に係合可能な係合部と、
　を有する貯留タンク満杯検出装置を、右側排出構造の貯留タンクに取り付ける貯留タンク満杯検出装置の取付構造であって、
　前記係合部は、フック状とされ、
　前記周壁部には、前記係合部を係合可能な被係合部が設けられている、貯留タンク満杯検出装置の取付構造。
　
　相違点（Ｘ）
　係合部は、本願発明１では検出装置本体の右側部に設けられ、弾性変形により拡縮可能なフック状とされるのに対して、引用発明１では切込みに係合するフック状である点
　相違点（Ｙ）
　被係合部が、本願発明１では、（貯留タンクの）周壁部の前壁に、パチンコ機側に切り欠かれて形成された薄肉部からなるものであるのに対して、引用発明１では貯留タンクの周壁部（貯留タンク６１の左側）に設けられた切込みである点
　
　始めに、上記相違点（Ｙ）について検討する。　
　相違点（Ｙ）の技術的な内容は上記「相違点（Ｂ）」と全く同一であるから、上記「相違点（Ｂ）」についての検討内容を援用する。
　したがって、引用発明１の「貯留タンクの左側に設けられた被係合部（切込み）」に替えて、上記「引用発明２記載の被係合部構造」を適用する際に、被係合部の構造を適宜選択し、上記相違点（Ｙ）に係る本願発明１を特定する事項とすることは、当業者が容易になし得るものである。
　
　次に、上記相違点（Ｘ）について検討する。
　引用発明１の「被係合部（切込み６１ａ、６１ｂ）」は「貯留タンクの左側に形成され」ているから、引用発明１には「貯留タンクの左側に取り付けられた検出装置本体」の事項が示唆されているといえる。そして、当該事項に、上記「引用発明２記載の被係合部構造」である「貯留タンク（球タンク１３）前方の壁部に設けられる、被係合部（設置凹部２１）」の事項を適用すれば「検出装置本体の右側部に設けられる係合部」の事項が導き出されることは明らかである。
　また、引用発明３の「金属製フック１３」が「弾性変形により拡縮可能なフック状とされ」るものであることは、引用刊行物３の【図２】乃至【図４】を参酌すれば当業者にとって明らかな事項である。
　したがって、上記相違点（Ｘ）に係る本願発明１を特定する事項とすることは、引用発明１乃至３に基づいて当業者が容易になし得るものである。
　
　そして、効果においても、引用発明１は右側排出構造の貯留タンクに検出装置が取り付けられたものであるから、本願発明１が格別の効果を奏するものとは認められない。
　　　　　
　３、むすび
　以上のとおり、本願発明１は、引用発明１乃至３に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。